(57)【要約】【課題】ケーキ等の収納物を傷つけることがない上、どのような包装ケースに対しても利用できる保持具を提供する。【解決手段】保持具１に高さ調整部９を突設する。高さ調整部９は、所定の高さ位置毎に切取線１３が夫々設けられたものである。したがって、所望の高さ位置にある切取線１３に沿って高さ調整部９を切り取ることにより、保持具１全体の高さを調整することができる。したがって、保持具１の高さと包装ケースとの高さとが略同じになるように調整することで、収納時に保持具１は包装ケースの上面と下面とに挟持される格好となり、極めて倒れにくい。また、中央部の下端縁には収納物を載置したプレートを差込可能な差込口１６を設ける。該差込口１６にプレートを差し込んだ状態で包装ケースに収納することにより、保持具１の安定性を更に高めることができる。【選択図】図１
0003107118.tif 000002
【実用新案登録請求の範囲】
【請求項１】
付属物を保持した状態で包装ケースに収納される保持具であって、
前記保持具の高さを調整するための高さ調整部を備えたことを特徴とする保持具。
【請求項２】
前記高さ調整部が一体的に設けられており、任意の高さ位置にて前記高さ調整部を切り取ることにより高さを調整する請求項１に記載の保持具。
【請求項３】
前記高さ調整部の複数の高さ位置に切取線が設けられていることを特徴とする請求項２に記載の保持具。
【請求項４】
保持具と同時に包装ケースに収納される収納物を載置するプレートを差込可能な差込口を有する請求項１〜３のいずれかに記載の保持具。
【請求項５】
角形の包装ケースの各コーナーにおいて、コーナー面に接触した状態で収納される保持具であって、
上面に付属物を挿入するための開口部を有するとともに、内部に前記開口部と連通した付属物保持部を有する三角柱状に形成されている一方、
前記コーナー面に接触する角部に前記高さ調整部を延長状に設けたことを特徴とする請求項１〜４のいずれかに記載の保持具。
【請求項６】
三角形状の下面側の二辺に、折り曲げ状態で交差状に重なる一対の支持舌片を延設して、両支持片によって起立可能とするとともに、上側の支持舌片における下側の支持舌片の自由端側の側縁に差込片を、下側の支持舌片に、折り曲げ状態で前記差込片を差込可能な切込を夫々設けて、切込への差込片の差し込みによって両支持舌片を連結した請求項５に記載の保持具。
【考案の詳細な説明】
【技術分野】
【０００１】
本考案は、たとえば保冷剤等の付属物を保持した状態で、ケーキ等の生菓子を包装する包装ケースに収納される保持具に関するものである。
【背景技術】
【０００２】
従来より、ケーキを包装・収納する包装ケースにはケーキと共に保冷剤を保持した保持具を収納している。その際、保持具は、包装ケースのコーナー部等に収納されることが多い。
【考案の開示】
【考案が解決しようとする課題】
【０００３】
包装ケースは、同じ販売店であってもケーキの種類や大きさ毎に様々な形状・大きさを有している。しかしながら、保持具は一番小さな包装ケースに収納可能な一種類しか用意されていないのがもっぱらである。したがって、ケーキと接触しないようにコーナー部に入れられてはいるものの、包装ケースによってはケース内で非常に不安定であり、包装ケースを持ち運ぶ間に保持具が倒れてケーキと接触し、ケーキを傷つけてしまう虞がある。
また、各包装ケースに適した保持具を用意するとなると、余分な手間やコストが必要になるという問題が発生する。
【０００４】
本考案は、上記問題に鑑みなされたものであって、どのような包装ケースに対しても利用できる上、包装ケース内で倒れることのない保持具を提供しようとするものである。
【課題を解決するための手段】
【０００５】
上記課題を達成するために、請求項１に記載の考案の構成は、付属物を保持した状態で包装ケースに収納される保持具であって、前記保持具の高さを調整するための高さ調整部を備えたことにある。
また、請求項２に記載の考案の構成は、請求項１に記載の考案において、前記高さ調整部が一体的に設けられており、任意の高さ位置にて前記高さ調整部を切り取ることにより高さを調整することにある。
さらに、請求項３に記載の考案の構成は、請求項２に記載の考案において、前記高さ調整部の複数の高さ位置に切取線が設けられていることにある。
さらにまた、請求項４に記載の考案の構成は、請求項１〜３のいずれかに記載の考案において、保持具と同時に包装ケースに収納される収納物を載置するプレートを差込可能な差込口を有することにある。
またさらに、請求項５に記載の考案の構成は、請求項１〜４のいずれかに記載の考案において、角形の包装ケースの各コーナーにおいて、コーナー面に接触した状態で収納される保持具であって、上面に付属物を挿入するための開口部を有するとともに、内部に前記開口部と連通した付属物保持部を有する三角柱状に形成されている一方、前記コーナー面に接触する角部に前記高さ調整部を延長状に設けたことにある。
加えて、請求項６に記載の考案の構成は、請求項５に記載の考案において、三角形状の下面側の二辺に、折り曲げ状態で交差状に重なる一対の支持舌片を延設して、両支持片によって起立可能とするとともに、上側の支持舌片における下側の支持舌片の自由端側の側縁に差込片を、下側の支持舌片に、折り曲げ状態で前記差込片を差込可能な切込を夫々設けて、切込への差込片の差し込みによって両支持舌片を連結したことにある。
【考案の効果】
【０００６】
本考案によれば、包装ケースとは別体であるため、従来より一般的に用いられている包装ケースに対して利用することができる。また、高さ調整部が設けられており、収納される包装ケースの高さに応じて高さを調整することができるため、その汎用性が極めて高い。さらに、高さ調整部により保持具の高さと包装ケースの高さとが略一致するように調整することで、包装ケース内で包装ケースの上面と下面とに挟持された状態となるため、包装ケース内での安定性が増し、共に収納されるケーキ等の収納物を傷つける心配がない。
また、請求項２に記載の考案によれば、高さ調整部を切り取るだけで高さを調整することができるため、使い勝手が良くなる。
さらに、請求項３に記載の考案によれば、高さ調整部の切り取りを容易に行うことができ、さらに使い勝手が良くなる。
さらにまた、請求項４に記載の考案によれば、ケーキ等の収納物が載ったプレートを差込口に差し込むことにより、包装ケース内における保持具の安定性をさらに高めることができる。したがって、包装ケース内で極めて倒れにくくなり、共に収納されるケーキ等の収納物を傷つける心配が全くない。
またさらに、請求項５に記載の考案によれば、角形の包装ケースに対して用いる場合に、各コーナー面に接触する角部に高さ調整部を設けることにより、保持具と包装ケースとが面接触する面積を増やすことになり、安定性が更に向上する。また、該角部に延長状に高さ調整部を設けることにより、必要最小限の高さ調整部でも十分な強度を有することができる。さらに、上面に保冷剤等の付属物を挿入可能な開口部を有しているため、付属物を収納しやすい等、使い勝手が良い。
加えて、請求項６に記載の考案によれば、保持具の下面を閉塞する支持舌片が開こうとする方向に係止された状態となるため、保持具の安定性を更に高めることができる。
【考案を実施するための最良の形態】
【０００７】
以下、本考案の一実施形態となる保持具１について図面を基に説明する。尚、本実施の形態では、保持具１が保持する付属物をその一例である保冷剤１４（図３に示す）とする。
図１は、保持具１の外観を示した説明斜視図である。また、図２（ａ）は保持具１を組み立てる前の板状体１ａを正面から見た説明図であり、図２（ｂ）は、保持具１を組み立てる様子を示した説明図である。
【０００８】
保持具１は、図１に示されているように、上部に開口部１２を有する略三角柱状体であって、図２（ａ）及び（ｂ）に示されているように、厚紙程度の強度を備えた紙製の板状体１ａを折り曲げ形成してなるものである。
板状体１ａは、左舌片５を有する左側部２と、略中央に窓７が穿設された中央部３と、右舌片６を有する右側部４とを一体的に形成したものであり、左側部２と中央部３との間及び右側部４と中央部３との間には夫々容易に折り曲げ可能とするための折り曲げ線が設けられている。
【０００９】
左側部２は、その下部が左舌片（支持舌片）５として、その左端部が糊しろ８として一体的に設けられたものである。左舌片５及び糊しろ８は、夫々折り曲げ線により容易に折り曲げ可能となっている。また、左側部２の上部には、高さ調整部９が一体的に突設されている。左舌片５の略中央には、後述する差込片１１を差込可能な切込１０が設けられている。尚、高さ調整部９については後述する。
【００１０】
一方、右側部４は、その下部が右舌片（支持舌片）６として一体的に設けられたものであり、左側部２の左右方向の幅（糊しろ８を除く）と略同様の幅を有している。右側部４の上部には、左側部２に設けられた高さ調整部９と同様の高さを有する高さ調整部９が一体的に突設されている。また、右舌片６の左端部であって、保持具１の組み立て時に切込１０と対応する位置には、切込１０に差込可能な差込片１１が一体的に突設されている。尚、右舌片６及び差込片１１は、折り曲げ線により容易に折り曲げ可能となっている。
【００１１】
高さ調整部９は、組立時に包装ケース１５（図４に図示）内でコーナー面に接触する角部に延長状に突設されており、ケーキの号数に応じた包装ケース１５の高さ毎に切取線１３が夫々設けられている。したがって、収納される包装ケース１５の高さに合うように切取線１３に沿って高さ調整部９を切り取ることで、保持具１全体の高さを調整することができる。尚、本実施の形態においては、その高さを５段階に調整可能（高さ調整部９を切り取らない場合を除いて）となっている。
【００１２】
中央部３の略中央には窓７が穿設されている一方、下端縁には組み立て時にプレート１８（図４に示す）を差込可能な差込口１６となる切り欠き１７が設けられている。
【００１３】
ここで、図２（ａ）及び（ｂ）に基づいて、保持具１の組立方法を説明する。
まず、図２（ａ）に示されているように、左側部２及び右側部４を折り曲げ線にしたがって背面側へと折り曲げる。そして、糊しろ８に接着剤を塗布し、糊しろ８を折り曲げた状態で左側部２と右側部４とを貼着し、左側部２と右側部４と中央部３とを側面とする三角柱を形成する。尚、この時点において、三角柱の上面及び下面は開口しており、上面側の開口がそのまま開口部１２となる。
【００１４】
次に、図２（ｂ）に示されているように、左舌片５及び右舌片６を折り曲げ線にしたがって正面側へと折り曲げて下面側の開口を閉塞し、付属物保持部を形成する。この際、右舌片６、左舌片５の順で折り曲げ、折り曲げ位置において右舌片６を左舌片５より上方に位置させる。そして、差込片１１を切込１０へと上方から差し込んで、左舌片５及び右舌片６を折り曲げ位置にて固定する。左舌片５及び右舌片６を折り曲げ位置に固定することによって、中央部３の切り欠き１７が差込口１６となる。
以上のような方法で、保持具１は組み立てられる。
【００１５】
ここで、保持具１の使用方法について、図３〜図５を基に説明する。図３は、保持具に保冷剤１４を保持させる様子を示した説明図である。また、図４は、保持具１、１・・を包装ケース１５に収納する様子を示した説明図であり、図５は、保持具１、１・・が包装ケース１５に収納された様子を示した説明図である。
【００１６】
保冷剤１４は、図３に示されているように、開口部１２より挿入するだけで保持具１で保持される。保冷剤１４を保持した保持具１、１・・は、図４に示されているように、各差込口１６にケーキ等が載ったプレート１８のコーナーを差し込んだ状態で、包装ケース１５の４つのコーナー部に夫々設置される。この時、図５に示されているように、各保持具１の高さ調整部９は、包装ケース１５のコーナー面に接触しているとともに、その上端が包装ケース１５の上面の裏面に当接した状態となっている。
尚、保持具１を包装ケース１５に収納する際、保持具１の高さが包装ケース１５の高さより高い場合には、適当な高さ位置にある切取線１３に沿って高さ調整部９を切り取って、保持具１の高さと包装ケース１５の高さとが略一致するように調整する。
【００１７】
上記のようにして形成・組み立てられる保持具１は、包装ケース１５とは別体であるため、従来より一般的に用いられている包装ケース１５に対して利用することができる。また、高さ調整部９が設けられており、収納される包装ケース１５の高さに応じて高さを調整することができるため、その汎用性が極めて高い。加えて、切取線１３に沿って高さ調整部９を切り取るだけで高さを調整することができるため、非常に使い勝手が良い。
【００１８】
さらに、高さ調整部９により保持具１の高さと包装ケース１５の高さとが略一致するように調整することで、包装ケース１５内で包装ケース１５の上面と下面とに挟持された状態となるため、保持具１の包装ケース１５内での安定性が増す。さらにまた、ケーキ等が載ったプレート１８のコーナーを差込口１６に差し込んだ状態で包装ケース１５内に収納されるため、保持具１の安定性は更に増す。したがって、包装ケース１５内で極めて倒れにくくなっており、共に収納されるケーキ等を傷つける心配が全くない。
【００１９】
またさらに、紙製の板状体１ａを折り曲げるだけで組み立て可能であるため、低コストで生産することができる。また、包装ケース１５への収納時に、高さ調整部９がコーナー面と接触しているため、包装ケース１５と面接触する部分がより増え、安定性の更なる向上につながる。さらに、高さ調整部がコーナー面と接触する角部に延長状に設けられているため、必要最小限の大きさでも十分な強度を高さ調整部に持たせることができる。加えて、上部に開口を有しているため保冷剤１４を挿入しやすく、使い勝手も良い。
さらにまた、右舌片６に備えられている差込片１１を、左舌片５に備えられている切込１０へと上方から差し込んだ状態とすることにより、開こうとする方向へ舌片を係止した状態となるため、保持具１の起立状態での安定性を更に高めることができる。
【００２０】
なお、本発明にかかる保持具の構成は、上記した実施の形態に何ら限定されるものではなく、本発明の趣旨を逸脱しない範囲で、保持具の材料、形状や大きさ、付属物の種類等を適宜変更することができる。
たとえば、保持具は、プラスチック等の合成樹脂や金属等により一体成形されるものであっても何ら問題はないし、左側部及び右側部に両者を係合可能な係合部を設け、接着剤を用いずに組み立てるようにしてもよい。
【００２１】
また、複数の部品を組み立ててなるものとしても当然よい。そのような複数の部品からなる保持具として、高さ調整部が別体成形された実施の形態が考えられる。その場合には、高さの異なる複数種類の高さ調整部を本体（高さ調整部を除く保持具）とは別に用意し、包装ケースの高さに合わせて適当なものを本体に適宜取り付けるようにすればよい。尚、両者の取付方法としては、一方に係止突起を、他方に係止孔を夫々設け、両者によって係止する方法や、ピン等の係止部材を利用して係止するようにしてもよい。
さらにまた、スライドや折りたたみにより高さを調整可能な高さ調整部としても何ら問題はない。当然、このような高さ調整部を本体と一体に成形してもよいし、別体成形してもよい。加えて、上記実施の形態では、５段階に高さを調整可能な高さ調整部としているが、５段階以上に調整可能であってもよいし、５段階以下しか調整できないようしても何ら問題はなく、何段階に調整可能とするかは適宜変更すればよい。
【００２２】
またさらに、高さ調整部の設置位置としては、保持具の上部である必要はなく、適宜変更可能である。たとえば、保持具を、高さ調整部、舌片に相当する箇所である足部、及び窓部を有する本体部の別体成形された三部材からなるものとし、足部と本体部との間に高さ調整部を設置してもよい。
また、上記実施の形態では、右舌片に備えられている差込片を、左舌片に備えられている切込に上方から差し込んでいるが、左舌片、右舌片の順で折り曲げて、差込片を切込に下方から差し込んで組み立てることも当然可能である。しかしながら、安定性をより向上させるためには、上方から差し込む方が良い。尚、当然のことながら、左舌片に差込片を、右舌片に切込を設けてもよい。
【００２３】
加えて、左舌片及び右舌片を、差込片と切込とを利用するのではなく、係合突起と切り欠きとにより係着するようにしてもよいし、係止突起と係止孔等を利用してもよい。さらに、保持具を一体成形する場合や、上述したような足部を利用する場合には、差込片や切込等を設ける必要はない。
さらに、付属物として保冷剤以外にフォークやスプーン、ナプキン、ロウソク等を保持具に保持させることは当然可能である。
【図面の簡単な説明】
【００２４】
【図１】保持具の外観を示した説明図である。
【図２】（ａ）は組み立て前の保持具（板状体）を正面側から見た説明図であり、（ｂ）は保持具を組み立てる様子を示した説明図である。
【図３】保持具に保冷剤を保持させる様子を示した説明図である。
【図４】保持具を包装ケースに収納する様子を示した説明図である。
【図５】保持具が包装ケースに収納された様子を示した説明図である。
【符号の説明】
【００２５】
１・・保持具、１ａ・・板状体、２・・左側部、３・・中央部、４・・右側部、５・・左舌片、６・・右舌片、７・・窓、８・・糊しろ、９・・高さ調整部、１０・・切込、１１・・差込片、１２・・開口部、１３・・切取線、１６・・差込口、１７・・切り欠き。
【図１】
0003107118.tif 000003
【図２】
0003107118.tif 000004
【図３】
0003107118.tif 000005
【図４】
0003107118.tif 000006
【図５】
0003107118.tif 000007